(57)【要約】      （修正有）【課題】アウターシェルへのインナーシェルの着脱動作が簡単な衣服ユニットを提供する。【解決手段】それぞれが単独で使用可能なアウターシェル１及びインナーシェル２と、これらアウターシェル１及びインナーシェル２とを結合した状態でも使用可能な衣服ユニットであって、アウターシェル１は、ファンを着脱可能に取り付ける補強布１６と、衣服の前側を開け閉めする第１スライドファスナー１２、１３と、を備え、インナーシェル２は、ヒーターと、衣服の前側を開け閉めする第２スライドファスナー２２、２３と、を備え、アウターシェル１の裏地の上にインナーシェル２を重ねるようにして結合する第３スライドファスナー１４、１５を備えたことを特徴とする。【選択図】図１１
0003230721.tif 000002
【実用新案登録請求の範囲】
【請求項１】
それぞれが単独で使用可能な第１衣服及び第２衣服と、これら第１衣服及び第２衣服とを結合した状態でも使用可能な衣服ユニットであって、
前記第１衣服は、ファンを着脱可能に取り付ける取付部と、衣服の前側を開け閉めする第１開閉手段と、を備え、
前記第２衣服は、ヒーターと、衣服の前側を開け閉めする第２開閉手段と、を備え、
前記第１衣服の裏地の上に第２衣服を重ねるようにして結合する衣服結合手段を備えたことを特徴とする衣服ユニット。
【請求項２】
前記第２開閉手段は第２スライドファスナーであり、
前記衣服結合手段は、第１衣服の裏地側に設けられた第３スライドファスナーであり、
前記第２スライドファスナーと前記第３スライドファスナーを結合することで、第１衣服と第２衣服を結合可能であることを特徴とする請求項１に記載の衣服ユニット。
【請求項３】
前記第１開閉手段は、第１スライドファスナーであり、前記第３スライドファスナーに隣接して設けられていることを特徴とする請求項２に記載の衣服ユニット。
【請求項４】
前記取付部には、前記ファンを着脱するための穴が形成され、
前記取付部を遮蔽するカバーを備えていることを特徴とする請求項１〜３のいずれか１項に記載の衣服ユニット。
【請求項５】
前記取付部には、前記ファンを着脱するための穴が形成され、
前記ファンは、第１衣服の左右に第１ファンと第２ファンが設けられ、それぞれの取付部を遮蔽する第１カバーと第２カバーが設けられ、
前記取付部を開放するときに、前記第１カバーと前記第２カバーを結合するカバー結合手段を備えていることを特徴とする請求項１〜３のいずれか１項に記載の衣服ユニット。
【考案の詳細な説明】
【技術分野】
【０００１】
本考案は、それぞれが単独で使用可能な第１衣服及び第２衣服と、これら第１衣服及び第２衣服とを結合した状態でも使用可能な衣服ユニットに関する。
【背景技術】
【０００２】
かかる衣服ユニットとして、下記特許文献１に開示される衣服がある。この衣服は、上着（第１衣服）と断熱ライナ（第２衣服）により構成され、上着にはファンユニットを着脱可能である。断熱ライナにはヒーターが取り付けられる。断熱ライナは上着の内側に取り外し可能な状態に装着することができる。
【０００３】
かかる衣服は、高温環境下ではファンユニットが装着された上着のみを着用して、身体の冷却に用いて快適性を提供することができる。また、ファンユニットを取り外して断熱ライナを上着に装着することで、低温環境下においても着用時の快適性も提供することができる。
【先行技術文献】
【特許文献】
【０００４】
【特許文献１】特開２０１９−１８３３３３号公報
【考案の概要】
【考案が解決しようとする課題】
【０００５】
上記先行技術において、断熱ライナは上着の表地と裏地の間の内部空間に挿入して取り付けるようにしている。そのため、断熱ライナの取り外しを行うためには、衣服の内側下部にあるスライドファスナーを開けて、内部空間において断熱ライナを留めているスナップボタンを外し、内部空間から断熱ライナを取り出すという動作が要求される。従って、断熱ライナの着脱が煩雑であるという問題があった。
【０００６】
本考案は上記実情に鑑みてなされたものであり、その課題は、第１衣服への第２衣服の着脱動作が簡単な衣服ユニットを提供することである。
【課題を解決するための手段】
【０００７】
上記課題を解決するため本考案に係る衣服ユニットは、
それぞれが単独で使用可能な第１衣服及び第２衣服と、これら第１衣服及び第２衣服とを結合した状態でも使用可能な衣服ユニットであって、
前記第１衣服は、ファンを着脱可能に取り付ける取付部と、衣服の前側を開け閉めする第１開閉手段と、を備え、
前記第２衣服は、ヒーターと、衣服の前側を開け閉めする第２開閉手段と、を備え、
前記第１衣服の裏地の上に第２衣服を重ねるようにして結合する衣服結合手段を備えたことを特徴とするものである。
【０００８】
かかる構成による衣服ユニットの作用・効果を説明する。この衣服ユニットは、第１衣服と第２衣服により構成され、それぞれを単独で使用することもできるが、第１衣服と第２衣服を結合した状態で使用することができる。この場合、第１衣服の表地と裏地の間に第２衣服を挿入するのではなく、第１衣服の裏地の上に第２衣服を重ねるようにして結合することができる。従って、第１衣服への第２衣服の着脱動作が簡単に行うことができる。
【０００９】
本考案において、前記第２開閉手段は第２スライドファスナーであり、
前記衣服結合手段は、第１衣服の裏地側に設けられた第３スライドファスナーであり、
前記第２スライドファスナーと前記第３スライドファスナーを結合することで、第１衣服と第２衣服を結合可能であることが好ましい。
【００１０】
この構成によると、第２衣服の前側を開閉するときは、第２スライドファスナーを開閉すればよい。この第２衣服を第１衣服に結合するときは、上記第２スライドファスナーを利用して、第１衣服に結合用に専用に設けられた第３スライドファスナーと結合すればよい。第２衣服の方は、結合のための専用の手段を設けなくても済む。
【００１１】
本考案に係る第１開閉手段は、第１スライドファスナーであり、前記第３スライドファスナーに隣接して設けられていることが好ましい。
【００１２】
これにより、適切な状態で第２衣服を結合させることができる。
【００１３】
本考案において、前記取付部には、前記ファンを着脱するための穴が形成され、前記取付部を遮蔽するカバーを備えていることが好ましい。
【００１４】
取付部にはファンを取り付けるために穴が形成されるが、ファンを取り外したときに、カバーを設けることで、穴を遮蔽することができる。
【００１５】
本考案において、前記取付部には、前記ファンを着脱するための穴が形成され、前記ファンは、第１衣服の左右に第１ファンと第２ファンが設けられ、それぞれの送風面に相当する箇所を遮蔽する第１カバーと第２カバーが設けられ、
前記取付部を開放するときに、前記第１カバーと前記第２カバーを結合するカバー結合手段を備えていることが好ましい。
【００１６】
左右のファンを取り外したときに、第１カバーと第２カバーを設けることで、それぞれの取付部に設けられた穴を遮蔽することができる。また、ファンを取り付けたときは、取付部を開放する必要があるが、第１カバーと第２カバーを結合しておくことで、開放した状態を安定して維持することができ、ファンからの送風を適切に行うことができる。
【図面の簡単な説明】
【００１７】
【図１】アウターシェルとインナーシェルを結合した状態の衣服の正面図
【図２】アウターシェルの背面図
【図３】ファンが装着されたアウターシェルを前側から開いた状態の図
【図４】インナーシェルの正面図
【図５】インナーシェルの背面図
【図６】インナーシェルを前側から開いた状態の図
【図７】ファンを取り外したときのアウターシェルを前側から開いた状態の図
【図８】ファンを取り外したときのアウターシェルの背面図
【図９】ファンの構成を示す分解斜視図
【図１０】ファンの構成を示す断面図
【図１１】アウターシェルとインナーシェルを結合するときの方法を示す図
【考案を実施するための形態】
【００１８】
本考案に係る衣服ユニットの好適な実施形態を図面を用いて説明する。衣服ユニットは、アウターシェル（第１衣服）１とインナーシェル（第２衣服）２により構成される。アウターシェル１とインナーシェル２は、それぞれ単独で着用することができるが、アウターシェル１とインナーシェル２を結合して１つの衣服のように使用することもできる。
【００１９】
図１は、アウターシェル１とインナーシェル２を結合した状態の衣服の正面図である。図２は、アウターシェル１の背面図である。図３は、アウターシェル１を前側から開いた状態の図であり、衣服の内側（裏地側）の構成を示している。図３は、インナーシェル２を取り付けていない状態を示す。説明の便宜上、図３において、袖や襟などは省いた状態で図示している。
【００２０】
＜アウターシェルの構成＞
アウターシェル１は表地１０と裏地１１を縫い合わせた構成を有する。なお、表地１０も裏地１１も１枚の布で構成されるものに限定されるものではなく、複数枚の布で構成してもよい。また、生地の素材についても特定の素材に限定されるものではない。前身頃の端部には第１開閉手段としての第１スライドファスナー１２，１３が設けられている。なお、スライドファスナー（線ファスナー）については周知の構成のものである。図１は、第１スライドファスナー１２，１３を開いた状態であり、奥に（衣服の内側に）結合されたインナーシェル２が見えている。インナーシェル２を結合していない場合には、この部分には裏地１１（図３参照）が見える。
【００２１】
図２に示すように、後身頃の腰のあたりの左右にファン３が設けられる。衣服の外側から見えるのはファン３の吸引部３０ａである。ファン３の送風部３４ａは衣服の内側を向いている。ファン３を衣服に取り付けるために補強布１６（取付部に相当）が表地１０及び裏地１１に縫製されている。アウターシェル１には顔を覆うフード１７が取り付けられる。フード１７は着脱自在であり、外して使用することもできる。補強布１６の素材は適宜選択できるが、周囲の生地の素材よりも強度を有するようにするか、厚さを大きくして強度を確保する。なお、取付部としての補強布１６は必ずしも設けなくてもよい。補強布を使用しない取付部を採用してもよい。
【００２２】
図３に示すように、第１スライドファスナー１２，１３に隣接して第３スライドファスナー１４，１５が裏地側に配置される。アウターシェル１の前側を開閉するときは、第１スライドファスナー１２，１３を開閉する。第３スライドファスナー１４，１５は、インナーシェル２を裏地１１の上に重ねて結合するための衣服結合手段として機能する。第１スライドファスナー１２と第３スライドファスナー１４が上下に平行に隣接配置され、第１スライドファスナー１３と第３スライドファスナー１５が上下に平行に隣接配置される。
【００２３】
図３に示すように左右のファン３の送風部３４ａが露出している。すなわち、ファン３はアウターシェル１の内側に風を送るようにしている。左右のファン３は、それぞれコード線４０，４１で接続され、リモコン操作部４２を経由してＵＳＢコネクタ４３に接続される。ＵＳＢコネクタ４３には、不図示の電池が接続される。電池としては、例えば、充電可能な二次電池などを使用することができる。リモコン操作部４２によりファン３のＯＮ／ＯＦＦや風の強弱を設定することができる。
【００２４】
裏地１１には、コード線４０を留めておくためのループ部材４４，４５が設けられている。ループ部材４４，４５はリング状の空間を形成するものであり、その空間にコード線４０を挿入することでコード線が不用意に動かないようにする。ループ部材４４，４５は、面ファスナー等により形成される。
【００２５】
図３において、アウターシェル１の右下に内ポケット１８が設けられている。内ポケット１８は、面ファスナー１９により開閉することができる。前述のＵＳＢコネクタ４３に接続される電池をこの内ポケット１８の中に保持させることができる。
【００２６】
左右のファン３の送風面の位置を覆うためにカバー１００，１０１（それぞれ、第１カバー、第２カバーに相当）が設けられている。カバー１００，１０１は布でできており、裏地１１あるいは補強布１６に対して縫製される。ファン３を取り外した場合、補強布１６の中央に形成された穴１６０が露出するが、その穴１６０を隠す目的でカバー１００，１０１が設けられる。カバー１００，１０１の端部には、スライドファスナー１０３，１０４が設けられており、図３に示すように、ファン３が取り付けられているときは送風の邪魔にならないように、隣接するカバー１００，１０１をスライドファスナー１０３，１０４により結合する。すなわち、スライドファスナー１０３，１０４は、カバー結合手段として機能する。
【００２７】
左右のファン３に隣接してスライドファスナー１０２，１０５が設けられている。図７に示すように、ファン３を外した状態では、スライドファスナー１０２，１０３を結合し、スライドファスナー１０４，１０５を結合する。これにより、取付部である補強布１６に形成された穴１６０を塞ぐことができる。
【００２８】
＜ファンの構成＞
次に、アウターシェル１に装着されるファン３の構造について説明する。図９は、ファン３の構造を示す分解斜視図と、組み立てた状態の斜視図である。図１０は、ファン３の内部構造を示す断面図である。
【００２９】
ファン３は、後側ケース３０、送風羽根３１、モーター３２、モーターケース３３、前側ケース３４、キャップ３５、固定リング３６により構成されている。後側ケース３０は、吸引部３０ａ、フランジ３０ｂ、筒部３０ｃが一体形成されている。吸引部３０ａは、ファン３を駆動すると、この面から空気を取り込む。図２に示すように、吸引部３０ａは背後から見えるようになっている。筒部３０ｃは、所定の外径と所定の筒方向の長さを有する。フランジ３０ｂは、筒部３０ｃの外径よりも大きな外径を有する。
【００３０】
送風羽根３１は、モーター３２の軸に取り付けられる。送風羽根３１は、中心軸３１ａと所定の枚数の羽根３１ｂを有するが、羽根３１ｂの枚数や形状は適宜設定することができる。モーターケース３３には、モーター３２を収容する収容部３３ｂが形成されると共に、送風羽根３１を回転駆動するための電子回路（不図示）が取り付けられている。モーターケース３３には、端子部３３ａが設けられており、コード線４０の先端に設けられた端子部４０ａが挿入される。もう１つのファン３も同様な構造を有し、コード線４１の先端に設けられた端子部４１ａが挿入される。
【００３１】
前側ケース３４は、送風部３４ａと、筒部３４ｂの表面に形成された雄ねじ３４ｃが一体形成されている。筒部３４ｂの内径は筒部３０ｃの外径とほぼ同一であり、両者を嵌合することができる。前側ケース３４と後側ケース３０は、不図示の係合機構により一体的に結合される。送風部３４ａの中央には穴が形成されており、キャップ３５が被せられる。固定リング３６は、フランジ３６ａと、筒部３６ｂと、筒部３６ｂの内壁に形成される雌ねじ３６ｃを有する。フランジ３６ａとフランジ３０ｂは同一の径を有する。
【００３２】
図９に補強布１６を示すが、中央にファン３を通すために穴１６０が形成されている。図１０は、補強布１６にファン３を取り付けた状態のファン３の内部構造を示す断面図である。
【００３３】
図１０は、組み立てた状態のファン３の断面図である。筒部３６ｂを除く残りの部品は組み立てられたユニットになっており、そのユニットをアウターシェル１の外側から補強布１６の中央に形成された穴１６０を介して挿入する。穴１６０の大きさは、筒部３４ｂの外径とほぼ同じであり、前記ユニットを穴１６０から挿入できるようにしている。ユニットを挿入後、アウターシェル１の内側から固定リング３６をユニットに結合することでファン３をアウターシェル１に取り付けることができる。ちなみに固定リング３６の内径は穴１６０の径よりも大きくなっている。この時、固定リング３６の雌ねじ３６ｃと前側ケース３４の雌ねじ３４ｃが螺合している。逆に、ファン３を外すときは、固定リング３６を緩めることで、ユニットをアウターシェル１の外側から外すことができる。
【００３４】
＜インナーシェルの構成＞
次にインナーシェル２について説明する。インナーシェル２は、表地２０と裏地２１を縫い合わせた構成を有する。インナーシェル２は袖なしのベストの形態を有している。インナーシェル２の前側を開閉するための第２スライドファスナー２２，２３（第２開閉手段に相当）が設けられている。なお、第２スライドファスナー２２，２３は、衣服結合手段としても機能する。
【００３５】
前身頃の左右の胸の位置には表地２０と裏地２１の間に第１ヒーター２４が配置されている。後身頃の表地２０と裏地２１の間に第２ヒーター２５が配置されている。ヒーター２４，２５は、例えば、線状のヒーター、電熱シート、面ヒーターの形態とすることができる。ただし、特定の形態のヒーターに限定されるものではない。また、各ヒーター２４，２５の配置場所や大きさについても適宜設定することができる。なお、ヒーター２４，２５は、洗濯やクリーニングを考慮して取り外し可能である。
【００３６】
インナーシェル２の内側には内ポケット２６が設けられており、面ファスナー２７により開閉することができる。ヒーター２４，２５を加熱するためのコード線２８は通し孔２７によりインナーシェル２の内部に挿入され、それぞれのヒーター２４，２５に接続される。コード線２８の先端にはＵＳＢコネクタ２９が設けられており不図示の電源が接続される。電源は、内ポケット２６に収納しておくことができる。ヒーター２４，２５への通電ＯＮ／ＯＦＦをするために不図示のスイッチが設けられる。
【００３７】
＜アウターシェル１とインナーシェル２を結合する方法＞
図１１は、アウターシェル１とインナーシェル２を結合するときの方法を示す図である。アウターシェル１は左右のファン３を取り外した状態である。ファン３を取り外した状態では、ファン３が取り付けられる補強布１６の中央に穴１６０があいている。そこで、図７にも示すように穴１６０は塞がれた状態にする。すなわち、スライドファスナー１０２，１０３を連結し、スライドファスナー１０４，１０５を連結する。
【００３８】
アウターシェル１の内側にある第３スライドファスナー１４とインナーシェル２の第２スライドファスナー２２を結合し、第３スライドファスナー１５と第２スライドファスナー２３を結合する。従って、これらのスライドファスナーは衣服結合手段として機能する。
【００３９】
また、アウターシェル１の裏地１１にはタブ１１０が設けられ、インナーシェル２の後側にはループ２００が設けられている。これらタブ１１０とループ２００を用いて、アウターシェル１とインナーシェル２の上部を結合することができる。これにより、前述のスライドファスナーと合わせて安定した状態で両者を結合することができる。これらタブ１１０とループ２００も衣服結合手段として機能する。
【００４０】
以上の構成によれば、インナーシェル２は、アウターシェル１の裏地１１の上に重ねて結合される。結合するときも結合を解除するときも、スライドファスナーの開閉で行うことができ、着脱操作が容易になる。
【００４１】
＜別実施形態＞
本実施形態では、結合手段としてスライドファスナーを用いているが、これに限定されるものではなく、ボタン等の他の結合手段を採用してもよい。
【符号の説明】
【００４２】
１        アウターシェル
１０      表地
１１      裏地
１１０    タブ
１２，１３        第１スライドファスナー（第１開閉手段）
１４．１５        第３スライドファスナー（衣服結合手段）
１６      補強布
１６０    穴
２        インナーシェル
２０      表地
２１      裏地
２２，２３        第２スライドファスナー（第２開閉手段、衣服結合手段）
２４，２５        ヒーター
２００    ループ
３        ファン
３０      後側ケース
３０ａ    吸引部
３１      送風羽根
３２      モーター
３３      モーターケース
３４      前側ケース
３５      キャップ
３６      固定リング
１００，１０１    カバー
１０２，１０５      スライドファスナー
１０３，１０４      スライドファスナー（カバー結合手段）
【図１】
0003230721.tif 000003
【図２】
0003230721.tif 000004
【図３】
0003230721.tif 000005
【図４】
0003230721.tif 000006
【図５】
0003230721.tif 000007
【図６】
0003230721.tif 000008
【図７】
0003230721.tif 000009
【図８】
0003230721.tif 000010
【図９】
0003230721.tif 000011
【図１０】
0003230721.tif 000012
【図１１】
0003230721.tif 000013